(57)【要約】      （修正有）【課題】図面、絵画、写真、及び証書等の大判の紙類を入れ、保管または持ち運びに用いられるカルトンを提供する。【解決手段】厚手の表表紙１と同寸の厚手の裏表紙２とを薄手の背表紙３で連結し、背表紙によって折り曲げられた表表紙と裏表紙とが重ね合わせられ、表表紙、及び裏表紙の各々の四隅部分１１、２１にマグネット４を顕出しないように埋設し、また各々の四隅部分の辺縁１２、２２にはリボンテープ５を施し、更に、表表紙、裏表紙、及び背表紙には、それぞれの外辺縁にマット熱可塑性樹脂加工を施した包装紙テープ６を貼着し、それぞれの外表面にマット熱可塑性樹脂加工を施した包装紙シートを貼着した。【選択図】図１
2018027679.tif 000002
【特許請求の範囲】
【請求項１】
厚手の表表紙と同寸の厚手の裏表紙とを薄手の背表紙で連結し、該背表紙によって折り曲げられた該表表紙と裏表紙とが重ねられ、裏表紙の四隅部分にマグネットを顕出しないように埋設し、これに重ね合わせられる表表紙の四隅部分にも裏表紙のマグネットと相対するマグネットが顕出しないように埋設することを特徴とするカルトン。
【請求項２】
背表紙で折り曲げられる表表紙と裏表紙との相対する四隅部分のその辺縁には、リボンテープを施し、施されたリボンテープの相対する各々を結ぶことによって表表紙が裏表紙に締着されることを特徴とする請求項１記載のカルトン。
【請求項３】
表表紙、裏表紙、及び背表紙には、それぞれの外辺縁にマット熱可塑性樹脂加工を施した撥水、防水の包装紙テープを貼着し、また、それぞれの外表面にマット熱可塑性樹脂加工を施した撥水、防水の包装紙シートを貼着したことを特徴とする請求項１乃至２のいずれか１項記載のカルトン。
【発明の詳細な説明】
【技術分野】
【０００１】  本発明は、図面、絵画、写真、及び証書等の大判の紙類を入れ、保管または持ち運びに用いられるカルトンに関するものである。
【背景技術】
【０００２】  従来、図面、絵画、写真、及び証書等の大判の紙類を入れるカルトンは、厚手の表表紙と同寸の厚手の裏表紙とを薄手の背表紙で連結し、該背表紙にて折り曲げ、該表表紙と該裏表紙とを重ね合わせたものであった。
そして、裏表紙の内面には、その四隅の角部に大判の紙類の四隅の角部を挿し込み、抱持する抱持コーナ片が設けられたものであった。【０００３】  しかしながら、大判の紙類を入れるカルトンは、大型化し、大型化であるが故に、持ち運びや、保管に不便を生じた。
また、大判の紙類は、その四隅の角部を裏表紙の内面に設けられた抱持コーナ片へ挿し込む操作に手間が掛り、不便であった。その上、抱持コーナ片を正確に裏表紙の内面に位置決め固定することが困難であった。【０００４】  そこで、カルトンを小型化し、小型化されても大判の紙類が入れられるものが提案された。
表表紙と裏表紙とを背表紙で連結し、該背表紙を折り曲げて、表表紙が裏表紙に重ね合せられるものであって、背表紙の内側に沿って配置した心棒と該背表紙との間に大判の紙類を挿し入れ可能にし、大判の紙類の中央部分を心棒と背表紙とで挟み込み、その上で、表表紙が背表紙で折り曲げられて裏表紙に重ね合わせるようにしたものである。
【先行技術文献】
【特許文献】
【０００５】
【特許文献１】  実用新案登録第３０６４５８２号
【発明の概要】
【発明が解決しようとする課題】
【０００６】  従来の図面、絵画、写真、及び証書等の大判の書類を入れ、保管または持ち運びする為に用いられるカルトンは、大判の紙類を保管、持ち運びできるように、大判の紙類の四隅の角部を抱持コーナ片で抱持止めし、動かないようにしていた。しかし、長く立つと、該大判の紙類の四隅の角部に、抱持コーナ片跡が残ることになって不都合であった。
だからといって、抱持コーナ片を除けば、前記大判の紙類が、表表紙と裏表紙とで挟み込まれた間から抜け落ちたり、はみ出して皺になるといった不都合を生じることになった。【０００７】  また、カルトンが小型化されて、大判の紙類をその中央部分で折り曲げ、保管、持ち運びすることが考えられたが、所詮、この小型化したカルトンは、表表紙を裏表紙に重ね合わせるに当って、大判の紙類が、その中央部分を心棒と背表紙とによって折り曲げられることになって、折目が付かないとしても、折り曲げ癖を付けることになり、結果的には、平坦さが失われ、よろしくない。
【課題を解決する為の手段】
【０００８】  本発明の大判の紙類を入れるカルトンは、厚手の表表紙と同寸の厚手の裏表紙とを薄手の背表紙で連結し、該背表紙によって折り曲げられた該表表紙と該裏表紙とが重ね合わせられ、裏表紙の四隅部分にマグネットを顕出しないように埋設し、これに重ね合わせられる表表紙の四隅部分にも裏表紙のマグネットと相対するマグネットを顕出しないように埋設するものである。
【０００９】  本発明の大判の紙類を入れるカルトンは、厚手の表表紙と同寸の厚手の裏表紙とを薄手の背表紙で連結し、該背表紙で折り曲げられる該表表紙と該裏表紙との相対する四隅部分のその辺縁には、リボンテープを施し、施されたリボンテープの相対する各々を結ぶことによって表表紙が裏表紙に締着されるものである。
【００１０】  本発明の大判の紙類を入れるカルトンは、厚手の表表紙と同寸の厚手の裏表紙とを薄手の背表紙で連結し、該表表紙、該裏表紙、及び背表紙には、それぞれの外辺縁にマット熱可塑性樹脂加工を施した撥水、防水の包装紙テープを貼着し、また、それぞれの外表面にマット熱可塑性樹脂加工を施した撥水、防水の包装紙シートを貼着したものである。
【発明の効果】
【００１１】  本発明の大判の紙類を入れるカルトンは、厚手の表表紙と、同寸の厚手の裏表紙とのそれぞれの四隅部分にマグネットが顕出しないように埋設されているので、該裏表紙に該表表紙が重ねられたときには、相互が磁力によって密着して一体化されるので、厚さを増した板のようになって強度を増し、撓み、反りを防止することになり、挟み込まれた大判の紙類にも、皺や撓み、捩れ、そして、勿論、曲げをも生じることがない。
また、マグネットの磁力による定着で大判の紙類が動かなくなって、はみ出したり、抜け落ちたりすることがなく、好都合である。
【００１２】  本発明の大判の紙類を入れたカルトンは、背表紙で折り曲げられた表表紙と裏表紙との相対する四隅部分のその辺縁にはリボンテープが施されているので、該リボンテープの相対する各々を強く結ぶことによって締着の優れたものにし、全く、撓みや反りが起きず、大判の紙類に皺や捩れ等を生じることがなくなる。
そして、表表紙及び裏表紙の四隅部分の各々にマグネットが埋設され、その上に、各々が相対する四隅部分のその辺縁にはリボンテープが施されているので、大判の紙類を入れてリボンテープを結ぶときには、相対する各マグネットの磁力により表表紙と裏表紙との間が密着して開かないので、相対する各リボンテープを結ぶに当たって生じる、結びの緩みを起すことなく、結び易い。
【００１３】  本発明の大判の紙類を入れたカルトンは、表表紙、裏表紙、及び背表紙には、それぞれの外辺縁にマット熱可塑性樹脂加工を施した撥水、防水の包装紙テープが貼着され、また、それぞれの外表面にもマット熱可塑性樹脂加工を施した撥水、防水の包装紙シートが貼着したものであるので、外表面の汚れなどを簡単に拭き取ることが出来、また、持ち運ぶときに、雨に濡れても、簡単に拭き取りができて、浸み込むことがないので好都合である。
【図面の簡単な説明】
【００１４】
【図１】  大判の紙類を入れるカルトンの斜視図である。
【図２】  大判の紙類を入れるカルトンのマグネット埋設状態、リボンテープ設置状態の断面図である。
【図３】  大判の紙類を入れるカルトンの表表紙、裏表紙、及び背表紙の外表面に施される撥水、防水する包装紙シートの貼着状態を示す断面図である。
【発明を実施するための形態】
【００１５】  本発明の図面、絵画、写真、及び証書等の大判の紙類を入れるカルトンは、図１に示す如く、厚手の表表紙１と、同寸の厚手の裏表紙２と、これらを連結する薄手の背表紙３とでなる。
図面、絵画、写真、及び証書等の大判の紙類を裏表紙２上に入れ、背表紙３が折り曲げられて表表紙１を裏表紙２に重ね合わせることによって、前記大判の紙類は挟持されて、保管、持ち運びに供することになる。
厚手の表表紙１と、同寸の厚手の裏表紙２とを薄手の背表紙３で連結し、該背表紙によって折り曲げられた該表表紙１と該裏表紙２とが重ね合わせられるカルトンは、前記表表紙１、及び前記裏表紙２のそれぞれが相対する四隅部分には、図２に示す如く、マグネット４が顕出しないように埋設されている。
【００１６】  カルトンの裏表紙２の内面上に大判の紙類が入れられ、表表紙１を重ね合わせると、相対する表表紙１、及び裏表紙２の各々の四隅部分１１，２１に埋設されたマグネット４の磁力により、前記表表紙１、及び前記裏表紙２は各々の内面を密着させ、この密着により、大判の紙類が挟持定着されることになる。
そして、このようなカルトンは、良好な保管、または持ち運びに供することになる。
表表紙１、及び裏表紙２は、その各々の四隅部分１１，２１のマグネット４による磁力によってそれらの内面を密着し、一体化されることになり、厚さを増した板のようになって強度が増し、撓み、反りの防止をする。よって、挟み込まれた大判の紙類にも、皺や捩れ、及び曲げを生じることがなくなる。
また、マグネット４の磁力による密着で大判の紙類が動かなくなって、はみ出したり、抜け落ちたりすることがない。
【００１７】  背表紙３で折り曲げられた表表紙１と裏表紙２との各々が相対する四隅部分１１，２１のその辺縁１２，２２には、リボンテープ５を施し、該リボンテープの相対する各々を結ぶことによって、表表紙１が裏表紙２に締着されることになる。
【００１８】  表表紙１と裏表紙２との各々が相対する四隅部分１１，２１のその辺縁１２，２２には、リボンテープ５が施されているので、相対する各々のリボンテープ５を強く結ぶことによって、一層、強度の優れたものになり、撓みや反りを起すことがなくなる。
そして、表表紙１、及び裏表紙２の四隅部分１１，２１に埋設されたマグネット４の磁力によって、相対する表表紙１と裏表紙２との間が密着して開かないので、表表紙１と裏表紙２との各々が相対する四隅部分１１，２１のその辺縁１２，２２に施されたリボンテープ５のその相対した各々を結ぶのに生じる結び緩みを起すことがなく、結び易くなる。
なお、相対するリボンテープ５の結びによって、表表紙１と裏表紙２とで挟み込まれた大判の紙類のズレや抜け落ちをマグネット４による磁力で表表紙１と裏表紙２とが密着されて防止しているのを更に一層出来るようになる。
【００１９】  表表紙１、裏表紙２、及び背表紙３には、図２、及び図３に示す如く、外辺縁１２，２２にマット熱可塑性樹脂加工を施した撥水、防水の包装紙テープ６が貼着され、また、それぞれの外表面にもマット熱可塑性樹脂加工を施した撥水、防水の包装紙シート７が貼着されたものであるので、カルトンの表面の汚れなどを簡単に拭き取ることが出来、また、持ち運び中に、雨に濡れても、簡単に拭き取ることができ、浸み込むことがないようにできる。
【００２０】  尚、表表紙１、裏表紙２、及び背表紙３の内表面には、化粧紙シート８が施され、化粧している。
【符号の説明】
【００２１】  １      表表紙
１１    四隅部分
１２    辺縁
２      裏表紙
２１    四隅部分
２２    辺縁
３      背表紙
４      マグネット
５      リボンテープ
６      包装紙テープ
７      包装紙シート
８      化粧紙シート
【図１】
2018027679.tif 000003
【図２】
2018027679.tif 000004
【図３】
2018027679.tif 000005